(57)【特許請求の範囲】
【請求項１】
文書を画像として表わし，かつ複数の区画に分けられている文書画像のうち表示領域によって特定される一部分を表示する表示装置，
スクロール指令に応じて上記表示装置に表示されている現表示区画内において所与の方向に上記表示領域を移動するスクロール手段，
文書画像によって表わされる文書が縦書きまたは横書きのいずれであるかの文章方向を表わす文章方向データが横書きを示しているときには，複数の区画のうちいずれかの区画の右下の最後の部分を上記表示装置が表示しているかどうかを判定し，上記文章方向データが縦書きを示しているときには，複数の区画のうちいずれかの区画の左下の最後の部分を上記表示装置が表示しているかどうかを判定する第１の判定手段，
上記第１の判定手段によって，いずれかの区画の最後の部分が上記表示装置に表示されていると判定された場合においてスクロール指令が与えられると，文章方向データが横書きを示しているときには上記表示装置に表示されている現表示区画の次に表示する区画を，現表示区画の下の区画または現表示区画の右の区画と決定し，文章方向データが縦書きを示しているときには上記表示装置に表示されている現表示区画の次に表示する区画を，現表示区画の下の区画または現表示区画の左の区画と決定する表示区画決定手段，および
文章方向データが横書きを示しているときには上記表示区画決定手段によって決定された区画の左上の部分に上記表示領域を移動し，かつ文章方向データが縦書きを示しているときには上記表示区画決定手段によって決定された区画の右上の部分に上記表示領域を移動するように上記スクロール手段を制御する第1のスクロール制御手段，
を備えた文書画像表示制御装置。
【請求項２】
文章方向データが横書きを示しているときにおいて上記表示領域が現表示区画の右端部となったことに応じて上記表示領域を現表示区画の左端部に移動し，かつ所定距離分下方向に移動し，文章方向データが縦書きを示しているときにおいて上記表示領域が現表示区画の下端部となったことに応じて上記表示領域を現表示区画の上端部に移動し，かつ所定距離分左方向に移動するように上記スクロール手段を制御する第２のスクロール制御手段，
をさらに備えた請求項１に記載の文書画像表示制御装置。
【請求項３】
文章方向データが横書きを示しているときにおいて文書画像の右下の区画の表示が終了した，あるいは文章方向データが縦書きを示しているときにおいて文書画像の左下の区画の表示が終了したことに応じて，文書画像中に上記表示装置に表示されていない区画があるかどうかを判定する第２の判定手段，および
上記第２の判定手段により文書画像中に上記表示装置に表示されていない区画があると判定されたことに応じて，文章方向データが横書きを示しているときには，その表示されていない区画の左上の部分に上記表示領域を移動し，文章方向データが縦書きを示しているときには，その表示されていない区画の右上の部分に上記表示領域を移動するように上記スクロール手段を制御する第３のスクロール制御手段，
をさらに備えた請求項１または２に記載の文書画像表示制御装置。
【請求項４】
上記第２の判定手段により上記表示装置に表示されている区画が無いと判定されたことに応じて，文章方向データが横書きを示しているときには次の文書画像に含まれている複数の区画のうち左上の区画においてその左上の区画の左上の部分に上記表示領域を移動し，文章方向データが縦書きを示しているときには次の文書画像に含まれている複数の区画のうち右上の区画においてその右上の区画の右上の部分に上記表示領域を移動するように上記スクロール手段を制御する第４のスクロール制御手段，
をさらに備えた請求項３に記載の文書画像表示制御装置。
【請求項５】
表示装置が，文書を画像として表わし，かつ複数の区画に分けられている文書画像のうち表示領域によって特定される一部分を表示し，
スクロール手段が，スクロール指令に応じて上記表示装置に表示されている現表示区画内において所与の方向に上記表示領域を移動し，
判定手段が，文書画像によって表わされる文書が縦書きまたは横書きのいずれであるかの文章方向を表わす文章方向データが横書きを示しているときには，複数の区画のうちいずれかの区画の右下の最後の部分を上記表示装置が表示しているかどうかを判定し，上記文章方向データが縦書きを示しているときには，複数の区画のうちいずれかの区画の左下の最後の部分を上記表示装置が表示しているかどうかを判定し，
表示区画決定手段が，上記判定手段によって，いずれかの区画の最後の部分が上記表示装置に表示されていると判定された場合においてスクロール指令が与えられると，文章方向データが横書きを示しているときには上記表示装置に表示されている現表示区画の次に表示する区画を，現表示区画の下の区画または現表示区画の右の区画と決定し，文章方向データが縦書きを示しているときには上記表示装置に表示されている現表示区画の次に表示する区画を，現表示区画の下の区画または現表示区画の左の区画と決定し，
スクロール制御手段が，文章方向データが横書きを示しているときには上記表示区画決定手段によって決定された区画の左上の部分に上記表示領域を移動し，かつ文章方向データが縦書きを示しているときには上記表示区画決定手段によって決定された区画の右上の部分に上記表示領域を移動するように上記スクロール手段を制御する，
文書画像表示制御装置の動作制御方法。
【請求項６】
文書画像表示制御装置のコンピュータを制御するコンピュータが読み取り可能なプログラムであって，
文書を画像として表わし，かつ複数の区画に分けられている文書画像のうち表示領域によって特定される一部分を表示装置に表示させ，
スクロール指令に応じて上記表示装置に表示されている現表示区画内において所与の方向に上記表示領域を移動させ，
文書画像によって表わされる文書が縦書きまたは横書きのいずれであるかの文章方向を表わす文章方向データが横書きを示しているときには，複数の区画のうちいずれかの区画の右下の最後の部分を上記表示装置が表示しているかどうかを判定させ，上記文章方向データが縦書きを示しているときには，複数の区画のうちいずれかの区画の左下の最後の部分を上記表示装置が表示しているかどうかを判定させ，
いずれかの一つの区画の最後の部分が上記表示装置に表示されていると判定された場合においてスクロール指令が与えられると，文章方向データが横書きを示しているときには上記表示装置に表示されている現表示区画の次に表示する区画を，現表示区画の下の区画または現表示区画の右の区画と決定させ，文章方向データが縦書きを示しているときには上記表示装置に表示されている現表示区画の次に表示する区画を，現表示区画の下の区画または現表示区画の左の区画と決定させ，
文章方向データが横書きを示しているときには決定された区画の左上の部分に上記表示領域を移動させ，かつ文章方向データが縦書きを示しているときには決定された区画の右上の部分に上記表示領域を移動させるように文書画像表示制御装置のコンピュータを制御するプログラム。
【請求項７】
上記表示区画決定手段は，
上記第１の判定手段によって，いずれかの区画の最後の部分が上記表示装置に表示されていると判定された場合においてスクロール指令が与えられると，文章方向データが横書きを示しており，かつ下の区画があるか，下の区画の右端が右の区画の重心よりも右に無いときには，上記表示装置に表示されている現表示区画の次に表示する区画を，現表示区画の下の区画と決定し，文章方向データが横書きを示しており，かつ下の区画が無いか，下の区画の右端が右の区画の重心よりも右にあるときには，上記表示装置に表示されている現表示区画の次に表示する区画を，現表示区画の右の区画と決定し，文章方向データが縦書きを示しており，かつ下の区画があるか，下の区画の左端が左の区画の重心よりも左で無いときには，上記表示装置に表示されている現表示区画の次に表示する区画を現表示区画の下の区画と決定し，文章方向データが縦書きを示しており，かつ下の区画が無いか，下の区画の左端が左の区画の重心よりも左にあるときには，上記表示装置に表示されている現表示区画の次に表示する区画を，現表示区画の左の区画と決定するものである，
請求項１に記載の文書画像表示制御装置。
【発明の詳細な説明】
【技術分野】
【０００１】
この発明は，文書画像表示制御装置ならびにその動作制御方法およびその動作制御プログラムに関する。
【背景技術】
【０００２】
いわゆるスマートフォンと呼ばれる携帯端末では，通話ができるだけでなく，画像や画像化された文書などを読むことができる。そのような携帯端末では表示画面が小さいので，画像や文書を読む場合にはスクロールする必要がある。画像化された文書が複数の区画に分かれている場合，一つの区画の表示が終わった後にどの区画を表示すればよいか分からない。画像化された文書をブロックに分けてブロックごとに編集するもの（特許文献１），ユーザがマウスを利用してクリップ・ボードに格納されている文字列を貼り付ける場所を指定するもの（特許文献２）などがあるが，いずれも一つの区画の表示が終わった後にどの区画を表示すればよいか分からない。
【先行技術文献】
【特許文献】
【０００３】
【特許文献１】特開2000-293671号公報
【特許文献２】特開2000-293511号公報
【発明の概要】
【０００４】
この発明は，一つの区画の表示が終わった後に表示する区画を決定して表示できるようにすることを目的とする。
【０００５】
この発明による文書画像表示制御装置は，文書を画像として表わし，かつ複数の区画に分けられている文書画像のうち表示領域によって特定される一部分を表示する表示装置，スクロール指令に応じて上記表示装置に表示されている現表示区画内において所与の方向に上記表示領域を移動するスクロール手段，文書画像によって表わされる文書が縦書きまたは横書きのいずれであるかの文章方向を表わす文章方向データが横書きを示しているときには，複数の区画のうちいずれかの区画の右下の最後の部分を上記表示装置が表示しているかどうかを判定し，上記文章方向データが縦書きを示しているときには，複数の区画のうちいずれかの区画の左下の最後の部分を上記表示装置が表示しているかどうかを判定する第１の判定手段，上記第１の判定手段によって，いずれかの区画の最後の部分が上記表示装置に表示されていると判定された場合においてスクロール指令が与えられると，文章方向データが横書きを示しているときには上記表示装置に表示されている現表示区画の次に表示する区画を，現表示区画の下の区画または現表示区画の右の区画と決定し，文章方向データが縦書きを示しているときには上記表示装置に表示されている現表示区画の次に表示する区画を，現表示区画の下の区画または現表示区画の左の区画と決定する表示区画決定手段，および文章方向データが横書きを示しているときには上記表示区画決定手段によって決定された区画の左上の部分に上記表示領域を移動し，かつ文章方向データが縦書きを示しているときには上記表示区画決定手段によって決定された区画の右上の部分に上記表示領域を移動するように上記スクロール手段を制御する第1のスクロール制御手段を備えていることを特徴とする。
【０００６】
この発明は，上記文書画像表示制御装置の動作制御方法も提供している。すなわち，この方法は，表示装置が，文書を画像として表わし，かつ複数の区画に分けられている文書画像のうち表示領域によって特定される一部分を表示し，スクロール手段が，スクロール指令に応じて上記表示装置に表示されている現表示区画内において所与の方向に上記表示領域を移動し，判定手段が，文書画像によって表わされる文書が縦書きまたは横書きのいずれであるかの文章方向を表わす文章方向データが横書きを示しているときには，複数の区画のうちいずれかの区画の右下の最後の部分を上記表示装置が表示しているかどうかを判定し，上記文章方向データが縦書きを示しているときには，複数の区画のうちいずれかの区画の左下の最後の部分を上記表示装置が表示しているかどうかを判定し，表示区画決定手段が，上記第１の判定手段によって，いずれかの区画の最後の部分が上記表示装置に表示されていると判定された場合においてスクロール指令が与えられると，文章方向データが横書きを示しているときには上記表示装置に表示されている現表示区画の次に表示する区画を，現表示区画の下の区画または現表示区画の右の区画と決定し，文章方向データが縦書きを示しているときには上記表示装置に表示されている現表示区画の次に表示する区画を，現表示区画の下の区画または現表示区画の左の区画と決定し，スクロール制御手段が，文章方向データが横書きを示しているときには上記表示区画決定手段によって決定された区画の左上の部分に上記表示領域を移動し，かつ文章方向データが縦書きを示しているときには上記表示区画決定手段によって決定された区画の右上の部分に上記表示領域を移動するように上記スクロール手段を制御するものである。
【０００７】
この発明は，文書画像表示制御装置の動作制御方法を実施するためのコンピュータが読み取り可能なプログラムも提供している。そのようなプログラムを格納した記録媒体も提供するようにしてもよい。
【０００８】
この発明によると，文書が画像として表わされ，かつ複数の区画（ブロック，段組）に分けられている文書画像のうち表示領域で示される一部分が表示装置に表示される。スクロール指令に応じて表示装置に表示されている現表示区域内において所与の方向に表示領域が移動する。文書画像が横書きの場合に区画の右下の部分が表示される，あるいは文書画像が縦書きの場合に区画の左下の部分が表示されると，スクロール指令に応じて，文書画像が横書きの場合には表示装置に表示されている現表示区画の次に表示する区画が現表示区画の下の区画または現表示区画の右の区画と決定され（右の区画が存在しない場合に下の区画に決定してもよい），文書画像が縦書きの場合には表示装置に表示されている現表示区画の次に表示する区画が現表示区画の下の区画または現表示区画の左の区画と決定される（下の区画が存在しない場合に左の区画に決定してもよい）。すると，文書画像が横書きの場合には決定された区画の左上の部分に表示領域が移動させられ，文書画像が縦書きの場合には決定された区画の右上の部分に表示領域が移動させられる。現表示区画の次の区画の表示が行われる。
【０００９】
文書画像が複数の区画を含んでいた場合において，ある区画の表示が終わったときに次に表示する区画を決定して，その区画を表示できるようになる。文書画像によって表わされる文書が横書きか縦書きかに応じて，ユーザは読む順序が変わるが，その文書が横書きか縦書きかも考慮して区画を決定しているので，ユーザは，違和感をもつことなく，区画から別の区画に移って文書を読むことができる。
【００１０】
文章方向データが横書きを示しているときにおいて上記表示領域が現表示区画の右端部となったことに応じて上記表示領域を現表示区画の左端部に移動し，かつ所定距離分下方向に移動し，文章方向データが縦書きを示しているときにおいて上記表示領域が現表示区画の下端部となったことに応じて上記表示領域を現表示区画の上端部に移動し，かつ所定距離分左方向に移動するように上記スクロール手段を制御する第２のスクロール制御手段をさらに備えてもよい。
【００１１】
文章方向データが横書きを示している場合において文書画像の右下の区画の表示が終了した，あるいは文章方向データが縦書きを示しているときにおいて文書画像の左下の区画の表示が終了したことに応じて，文書画像中に上記表示装置に表示されていない区画があるかどうかを判定する第２の判定手段，および上記第２の判定手段により文書画像中に上記表示装置に表示されていない区画があると判定されたことに応じて，文章方向データが横書きを示しているときには，その表示されていない区画の左上の部分に上記表示領域を移動し，文章方向データが縦書きを示している場合には，その表示されていない区画の右上の部分に上記表示領域を移動するように上記スクロール手段を制御する第３のスクロール制御手段をさらに備えてもよい。
【００１２】
好ましくは，上記第２の判定手段により上記表示装置に表示されている区画が無いと判定されたことに応じて，文章方向データが横書きを示しているときには次の文書画像に含まれている複数の区画のうち左上の区画においてその左上の区画の左上の部分に上記表示領域を移動し，文章方向データが縦書きを示しているときには次の文書画像に含まれている複数の区画のうち右上の区画においてその右上の区画の右上の部分に上記表示領域を移動するように上記スクロール手段を制御する第４のスクロール制御手段をさらに備える。
【図面の簡単な説明】
【００１３】
【図１】携帯電話の電気的構成を示すブロック図である。
【図２】文書画像の一例である。
【図３】レイアウト・データの一例である。
【図４】携帯電話の処理手順の一部を示すフローチャートである。
【図５】携帯電話の処理手順の一部を示すフローチャートである。
【図６】携帯電話の処理手順の一部を示すフローチャートである。
【図７】携帯電話の処理手順の一部を示すフローチャートである。
【図８】携帯電話の処理手順の一部を示すフローチャートである。
【図９】携帯電話の処理手順の一部を示すフローチャートである。
【図１０】文書画像の一例である。
【図１１】表示画面の一例である。
【図１２】表示画面の一例である。
【図１３】文書画像の一例である。
【図１４】表示画面の一例である。
【図１５】表示画面の一例である。
【実施例】
【００１４】
図１は，この発明の実施例を示すもので，いわゆるスマートフォンと呼ばれる携帯電話（携帯型表示装置）の電気的構成を示すブロック図である。
【００１５】
携帯電話１の全体の動作は，制御装置２によって統括される。
【００１６】
携帯電話１には，他の携帯電話との通信，インターネットへのアクセス等のための通信装置10およびアンテナ11が設けられている。アンテナ11を介して後述する動作を行うプログラム12が携帯電話１にダウンロードされる。ダウンロードされたプログラム12が携帯電話１にインストールされることにより，携帯電話１は後述する動作を行う。もっとも，携帯電話１にメモリ・カード・リーダ（図示略）などが設けられている場合には，メモリ・カードに格納されたプログラムを，メモリ・カード・リーダを用いて読み取り，読み取られたプログラムを携帯電話１にインストールするようにしてもよい。
【００１７】
さらに，携帯電話１には，表示画面に文書，画像などを表示するための表示装置３が設けられている。表示装置３の表示画面には，タッチ・パネル４が形成されている。表示画面上に形成されているタッチ・パネル４をタッチすることにより，ユーザは，携帯電話１に様々な指令を与えることができる。
【００１８】
携帯電話１には，プログラム，所定のデータが格納されるメモリ５も含まれている。さらに，携帯電話１には，スピーカ８およびマイクロフォン９も含まれている。音声信号は，増幅回路７によって増幅されてスピーカ８に与えられることによりスピーカ８から音声が出力される。また，マイクロフォン９から入力した音声を表わす音声信号は，増幅回路７によって増幅されて制御装置２に入力する。
【００１９】
この実施例による携帯電話１では，画像化された文書（文書画像）を表示装置３の表示画面に表示できる。文書画像が複数の区画に分かれている場合，一の区画の表示が終わった後に，次に表示する区画が分からないことがある。この実施例では，次に表示する区画を決定できるようにするものである。
【００２０】
図２は，文書画像20の一例である。
【００２１】
文書画像20は，一駒の画像であり，複数の区画21〜26に分かれている。複数の区画21〜26のうち，区画21，23，25および26は画像化された文章が表示されている区画であり，区画22および24は撮像などにより得られた画像が表示されている区画である。区画21，23，25および26に含まれている画像化された文章は横書きである。これらの区画21〜26の一部分が携帯電話１の表示装置３の表示画面に表示される。
【００２２】
図３は，図２に示す文書画像20のレイアウト・データの一例である。
【００２３】
レイアウト・データには，文章が表示されている区画に含まれている文章が横書きか，縦書きかを示す文章方向，区画の数および区画の位置のそれぞれを表わすデータが含まれている。区画の識別データごとに区画の位置を表わすデータが規定されている。識別データ１，２，３，４，５および６が，それぞれ区画21，22，23，24，25および26を特定している。識別データ１の区画21の左上の原点の座標が（ｘ１，ｙ１）であり，区画21の幅がｗ１であり，区画21の幅がｈ１である。その他の識別データ２〜６についても同様にして位置が規定されている。
【００２４】
このレイアウト・データは，文書画像20を表わす画像ファイルのヘッダに格納されていてもよいし，画像ファイルとは別ファイルに格納されていてもよい。別ファイルに格納される場合には，画像ファイルのファイル名などを用いてレイアウト・データが格納されているファイルを特定できるようになることはいうまでもない。
【００２５】
図４から図９は，携帯電話１に文書画像を表示する処理手順を示すフローチャートである。
【００２６】
携帯電話１に文書画像20の表示指令が与えられると，文書画像20を表わす画像ファイルがメモリ５から読み取られる。読み取られた画像ファイルによって表わされる文書画像20が横書きか縦書きかがレイアウト・データから判断される（ステップ31）。
【００２７】
横書きと判断されると（ステップ31），表示装置３の表示画面に表示される部分を規定する表示領域が，文書画像20の左上の区画21の左上の部分に位置決めされる。表示領域内の画像データが表示装置３に与えられる。すると，表示装置３の表示画面には表示領域内の文書画像が表示される（ステップ32）。
【００２８】
図10は，文書画像20の一例である。
【００２９】
文書画像20が表示装置３に最初に表示される場合には，文書画像20が横書きであるから，複数の区画21〜26のうち，左上の区画21において表示領域70が左上の部分の位置71に位置決めさせられる。この表示領域70は，表示装置３の表示画面に対応するもので，表示画面と同じ大きさでもよいし，表示画面と同じアスペクト比であれば，表示画面と異なる大きさでもよい（小さくてもよいし，大きくてもよい）。表示領域70が表示画面よりも小さい大きさであれば表示領域70内の文書画像は拡大されて表示画面に表示され，表示領域70が表示画面よりも大きい大きさであれば表示領域70内の文書画像は縮小されて表示画面に表示される。いずれにしても位置71に位置決めさせられた表示領域70内の文書画像が表示画面に表示される。
【００３０】
図11は，携帯電話１の表示画面の一例である。
【００３１】
図11は，図10に示したように，表示領域70が位置71に位置決めされたときに文書画像20の一部が表示画面80に表示されている様子を示している。表示画面80に表示されている部分よりも右側の文章を読む場合には，表示画面80上に形成されているタッチ・パネル上を指，タッチ・ペンなどで左側（または右側）になぞる。すると，スクロール指令が発生し，表示画面80に表示されている部分よりも右側の文章が表示画面80に表示される。もっとも，タッチ・パネル４上を指などでなぞることなく，タッチ・パネル４上の所定の領域をタッチすることによりスクロール指令が発生するようにしてもよいし，スクロール・ボタンを設け，そのボタンが押されることによりスクロール指令（横書きであれば横方向へのスクロール指令，縦書きであれば縦方向へのスクロール指令）が発生するようにしてもよい。スクロール指令が与えられると表示領域70が存在している区画（現表示区画）21内において表示領域70が移動する。もっとも現表示区画21以外の区画に表示領域70を強制的に移動可能としてもよい。
【００３２】
図４に戻って，上述のように，表示画面80に文書画像20が表示されている場合にスクロール指令が与えられると（ステップ33），表示領域70が現表示区画の右端部に位置しているかどうかが確認される（ステップ34）。
【００３３】
右端部に位置していなければ（ステップ34でＮＯ），表示領域が右方向に動かされる（ステップ35）。これにより，例えば，表示領域70は，図10の位置72に示す位置に動かされる。表示終了指令が携帯電話１に与えられなければ（ステップ36でＮＯ），位置72に動かされた表示領域70内の部分が表示画面80に表示されるようになる。
【００３４】
スクロール指令が与えられた場合に（ステップ33），位置73で示すように，表示領域70が現表示区画21の右端部に位置していると（ステップ34でＹＥＳ），表示領域70が現表示区画21の右下にあるかどうかが確認される（図５ステップ37）。
【００３５】
表示領域70が現表示区画21の右下になければ（図５ステップ37でＮＯ），その現表示区画21の表示は終了していないから，表示領域が現表示区画の左端部にまで戻し，かつ一行分下に移動させられる（図５ステップ38）。たとえば，図10において，表示領域70は位置74の位置に動かされることとなる。終了指令がなければ図４ステップ31の処理に戻り，表示領域70内の部分が表示画面80に表示されることとなる。
【００３６】
表示領域70が現表示区画21の右下にあると（図５ステップ37でＹＥＳ），その現表示区画21の部分はすべて表示されたと考えられるので，次に表示する区画が見つけられる。このために，現表示区画21の下の区画と右の区画とが見つけられる（図５ステップ40）。
【００３７】
下の区画があるか，下の区画の右端が右の領域の重心よりも右に無い場合には（図５ステップ41でＮＯ），下の区画が次に表示する区画と決定される。下の区画の左上の位置に表示領域が移動させられる（図５ステップ42）。終了指令が無ければ（図５ステップ39でＮＯ），次に表示する区画の部分が表示画面80に表示されることとなる。
【００３８】
下の区画が無いか，下の区画の右端が右の領域の重心よりも右にある場合には（図５ステップ41でＹＥＳ），右の区画があれば（図６ステップ43でＹＥＳ），その右の区画（のうちの一番上の区画）が次に表示する区画と決定される。右の区画の左上の位置に表示領域が移動させられる（図６ステップ44）。終了指令がなければ（図６ステップ45でＮＯ），次に表示する区画の部分が表示画面80に表示されることとなる。
【００３９】
図12は，表示画面80の一例である。
【００４０】
例えば，現表示区画21が表示されており，表示領域70が右下の位置75にあると，表示画面80は図12に示すものとなる。そのような状態でスクロール指令が与えられると，上述のように,現表示区画21の下の区画24が次に表示する区画と決定される。
【００４１】
上述の実施例では，次の区画を決定するのに，現表示区画21の下の区画があれば，その下の区画が次に表示する区画と決定されているが，現表示区画21の右の区画があれば，その右の区画が次に表示する区画と決定されてもよい。上の区画から横方向の区画が表示され，次に下の区画に順に表示されるようになる。また，上述の実施例では，文章が表示されている区画21，23，25および26と撮像等により得られた画像が表示されている区画22および24との間で，スクロールの仕方は区別されていないが，それらの間で区別するようにしてもよい。たとえば，画像化された文章が表示されている区画21，23，25および26では表示領域70が現表示区画21の右端にある場合にスクロール指令が与えられると，表示領域70が左端に戻され，かつ一行下にずらされているが（図５ステップ38），撮像等により得られた区画22または24においては表示領域70が区画21または24の右端にある場合にスクロール指令が与えられると表示領域が左端に戻され，かつ表示領域70の高さ分だけ下にずらすようにしてもよい。
【００４２】
次に文書画像が縦書きの場合について説明する。文書画像が縦書きの場合，下方向にスクロールされる。
【００４３】
図13は，縦書きの文書画像90の一例である。
【００４４】
文書画像90には，区画91〜96が含まれている。区画91，93，94および95には画像化された文章が表示されている。区画92および96には撮像等により得られた画像が表示されている。区画91，93，94および95に表示されている文章は縦書きである。
【００４５】
文章が縦書きの場合，文書画像90のうち最初に表示される部分は，右上の区画91の中の右上の部分となる。表示領域70は，その右上の部分の位置101に位置決めされる。
【００４６】
図14は，表示画面80の一例である。
【００４７】
上述のように，表示領域70が文書画像90の右上の区画91の右上の部分の位置101に位置決めされると，その位置101に位置決めされている表示領域70内の部分が表示画面80に表示される。
【００４８】
表示領域70が文書画像90の右上の区画91右上の位置101に位置決めされ，表示領域70内の部分が表示画面80に表示される（図７ステップ32Ａ）。スクロール指令（タッチ・パネル４上を，指などを用いて下方向または上方向になぞる処理）が与えられると（図７ステップ33Ａ），表示領域70が現表示区画91の下端部にあるかどうかが判定される（ステップ51）。
【００４９】
表示領域70が現表示領域91の下端部に無ければ（ステップ51でＮＯ），表示領域70が下方向に動かされる（ステップ52）。終了指令が与えられなければ（ステップ53でＮＯ），下方向に動かされた表示領域70内に含まれている部分が表示画面80に表示される（ステップ51）。
【００５０】
表示領域70が現表示領域91の下端部にあると（ステップ51でＹＥＳ），表示領域70が現表示区画91の左下の位置102（図13参照）に位置決めされていると（ステップ54でＹＥＳ），現表示区画91のすべての部分が表示画面に表示されたこととなる。
【００５１】
図15は，表示画面80の一例である。
【００５２】
上述のように，表示領域100が文書画像90の右上の区画91の左下の部分の位置102に位置決めされると，その位置102に位置決めされている表示領域100内の部分が表示画面80に表示される。
【００５３】
このように，表示領域70が現表示区画91の左下の位置102に位置決めされていると（図８ステップ54でＹＥＳ），次に表示する区画が見つけられる。そのために，現表示区画91の下の区画と左の区画とが見つけられる（図８ステップ57）。
【００５４】
下の区画があるか，下の区画の左端が左の区画の重心よりも左でなければ（図８ステップ58でＮＯ），下の区画の右上に表示領域が移動させられる（図８ステップ59）。図13に示す例では，現表示領域91の下の区画92があるので，その区画92の右上に表示領域70が移動させられる。終了指令が与えられなければ（図８ステップ56でＮＯ），下の区画92内の部分が表示される。
【００５５】
下の区画が無いか，下の区画の左端が左の区画の重心よりも左であれば（図８ステップ58でＹＥＳ），左の区画があるかどうかが判定される（図９ステップ60でＹＥＳ）。左区画がある場合には（図９ステップ60でＹＥＳ），左の区画の右上に表示領域70が移動させられる（図９ステップ61）。
【００５６】
左の区画が無い場合には（図９ステップ60でＮＯ），その文書画像90中に表示していない区画があるかどうかが判定される（図９ステップ63）。表示していない区画がある場合には（図９ステップ63でＹＥＳ），表示していない区画のうちもっとも上の区画の右上に表示領域が移動させられる（図９ステップ64）。表示していない区画が無い場合には（図９ステップ63でＮＯ），次の文書画像の右上の区画の右上に表示領域が移動させられる（図９ステップ65）。終了指令が与えられなければ（図９ステップ62でＮＯ），図７ステップ32Ａからの処理が繰り返される。
【００５７】
上述の実施例においては，文書画像90が縦書きの場合において，撮像などにより得られた画像（画像化された文章以外）の区画92および96のいずれもスクロール方向は縦方向となるが，これらの区画92および96についてはスクロール方向を横方向とし，区画92および96の右下に表示領域70が位置決めされると，それらの区画92および96の表示がすべて終わったと判断して，次の区画を決めるようにしてもよい。
【００５８】
また，上述の実施例では，縦書きの文書画像90において，次に表示する区画を決定する場合に，現表示区画の左の区画があれば，その区画が次に表示する区画と決定されているが，現表示区画の下の区画があれば，左の区画よりも優先して，下の区画を次に表示する区画と決定してもよい。区画が縦方向から順に左側に表示されていくようになる。
【符号の説明】
【００５９】
１  携帯電話
２  制御装置
３  表示装置
【図１】
0005676199.tif 000002
【図２】
0005676199.tif 000003
【図３】
0005676199.tif 000004
【図４】
0005676199.tif 000005
【図５】
0005676199.tif 000006
【図６】
0005676199.tif 000007
【図７】
0005676199.tif 000008
【図８】
0005676199.tif 000009
【図９】
0005676199.tif 000010
【図１０】
0005676199.tif 000011
【図１１】
0005676199.tif 000012
【図１２】
0005676199.tif 000013
【図１３】
0005676199.tif 000014
【図１４】
0005676199.tif 000015
【図１５】
0005676199.tif 000016